(57)【特許請求の範囲】
【請求項１】
液体を加熱する加熱容器と、水道管から前記加熱容器への給水経路に設けられた給水を制御する給水弁と、前記加熱容器内の液体を吐出するポンプと、前記給水弁と前記ポンプを制御して前記加熱容器内への注水から排水までのすすぎ洗浄工程を自動で行うすすぎ洗浄手段と、加熱容器の加熱をＯＦＦした状態が所定の時間以上経過した時、前記すすぎ洗浄手段を動作させる無負荷すすぎ手段とを有する給湯装置。
【請求項２】
無負荷すすぎ手段がすすぎ洗浄手段を動作させるタイミングとなる、加熱がＯＦＦが継続した所定の時間を、外部からの入力により変更する外部時間変更手段を有する請求項１に記載の給湯装置。
【請求項３】
加熱容器の加熱をＯＦＦした状態が所定の時間以上経過しても、前記加熱容器内の温度が所定の温度より高いときには、無負荷すすぎ手段の動作を開始しない高温すすぎ停止手段を有する請求項１または２に記載の給湯装置。
【請求項４】
加熱容器内の水温が所定の温度より低い状態が所定の時間継続した時、すすぎ洗浄手段を動作させる温度すすぎ手段を有する請求項１〜３のいずれか１項に記載の給湯装置。
【請求項５】
使用者に所定の時間操作されない状態が続いた時、前記すすぎ洗浄手段を動作させる無操作すすぎ手段を有する請求項１〜４のいずれか１項に記載の給湯装置。
【請求項６】
外部からの入力によりすすぎ洗浄手段の動作を開始するすすぎ洗浄開始手段を有する請求項１〜５のいずれか１項に記載の給湯装置。
【請求項７】
外部からの入力によりすすぎ洗浄手段の動作を終了させるすすぎ洗浄終了手段を有する請求項１〜６のいずれか１項に記載の給湯装置。
【請求項８】
すすぎ洗浄手段が動作中であることを知らせるすすぎ洗浄報知手段を有する請求項１〜７のいずれか１項に記載の給湯装置。
【発明の詳細な説明】
【０００１】
【発明の属する技術分野】
本発明は、一般家庭におけるキッチンシステムへ組み込んで使用するビルトインタイプの給湯装置に関するものである。
【０００２】
【従来の技術】
従来のジャーポット等の湯沸かし器は、加熱容器内のすすぎ洗浄を行う場合、そのタイミングを使用者が決め、使用者自身が加熱容器内に水を注いですすぎを行い、その後容器内の液体を捨てるという作業を行っていた。
【０００３】
【発明が解決しようとする課題】
しかしながら、上記従来のような方法は、加熱容器内の液体が古くなってすすぎ洗浄を行うべきかどうかを、使用者の記憶や判断に頼り、さらにすすぎ洗浄の作業自体が加熱容器内に水を注いで、すすぎを行って排水という行為を繰り返すため、手間がかかり、衛生的にも使用者の負担になるという課題を有していた。
【０００４】
本発明は、上記従来の問題点を解決するもので、すすぎ洗浄の工程を自動化し、加熱容器内の液体が古くなると自動的にすすぎ洗浄が行える、衛生的で使い勝手の良いビルトイン給湯装置を提供することを目的とする。
【０００５】
【課題を解決するための手段】
前記従来の課題を解決するために本発明の給湯装置は、注水から排水まで自動で行う、すすぎ洗浄手段と、加熱容器の加熱をＯＦＦした状態が所定の時間以上経過した時、前記すすぎ洗浄手段を動作させる無負荷すすぎ手段を設けたものである。この無負荷すすぎ手段により、加熱容器内の液体が古くなると自動的にすすぎ洗浄を行われるので、使用者は手軽で衛生的な給湯装置を使用することができる。
【０００６】
【発明の実施の形態】
請求項１に記載の発明は、液体を加熱する加熱容器と、水道管から前記加熱容器への給水経路に設けられた給水を制御する給水弁と、前記加熱容器内の液体を吐出するポンプと、前記給水弁と前記ポンプを制御して前記加熱容器内への注水から排水までのすすぎ洗浄工程を自動で行うすすぎ洗浄手段と、加熱容器の加熱をＯＦＦした状態が所定の時間以上経過した時、前記すすぎ洗浄手段を動作させる無負荷すすぎ手段とを有する給湯装置としたことにより、加熱容器内の液体が古くなると自動的にすすぎ洗浄され、加熱容器を清潔に保つことができる。
【０００７】
請求項２に記載の発明は、無負荷すすぎ手段がすすぎ洗浄手段を動作させるタイミングとなる加熱ＯＦＦが継続した所定の時間を、外部からの入力により変更する外部時間変更手段を設けることにより、給湯装置が使用される場所の水質に応じて、最適なすすぎ洗浄を開始するタイミングの設定ができる。
【０００８】
請求項３に記載の発明は、加熱容器の負荷をＯＦＦした状態が所定の時間以上経過した時、前記加熱容器内の温度が所定の温度より高いときには、請求項１または２記載のすすぎ洗浄、手段の動作を行わない高温すすぎ停止手段を備えることにより、加熱容器の負荷をＯＦＦした状態が長時間経過しても、水温が高く衛生的にも心配ない場合には、すすぎ洗浄を行わないので、余分な電力を消費することもない衛生的な給湯装置を提供できる。
【０００９】
請求項４に記載の発明は、前記加熱容器内の水温が所定の温度より低い状態が、所定の時間継続した時、請求項１〜３記載のすすぎ洗浄手段を動作させる温度すすぎ手段を備えることにより、加熱容器内の水温が雑菌等の繁殖可能な温度にまで下がってしまった状態が続くと、自動的に加熱容器内のすすぎ洗浄が始まるので、衛生的にも安心で手軽に加熱容器を清潔に保つことができる。
【００１０】
請求項５に記載の発明は、使用者に所定の時間操作されない状態が続いた時、請求項１〜４記載のすすぎ洗浄手段を動作させる無操作すすぎ手段を備えることにより、長時間加熱容器内の水が更新されず、古くなると自動的にすすぎ洗浄が始まるので、古くなった加熱容器内の水を使ってしまうこともなく、手軽に加熱容器を清潔に保つことができる。
【００１１】
請求項６に記載の発明は、外部からの入力により、請求項１〜５記載のすすぎ洗浄手段の動作を開始するすすぎ洗浄終了手段を備えることにより、使用者が加熱容器内の水が気になるとき等好きなタイミングですすぎ洗浄が行え使い勝手がよい。
【００１２】
請求項７に記載の発明は、外部からの入力により、請求項１〜６記載のすすぎ洗浄手段の動作を終了させるすすぎ洗浄終了手段を備えることにより、一度始まったすすぎ洗浄工程を任意に終了させることができるので、すすぎ洗浄中に使用者が急いでお湯を使いたいとき等、すすぎ洗浄工程が終了するまで待たなくてもよく、使い勝手がよい。
【００１３】
請求項８に記載の発明は、すすぎ洗浄手段が動作すると報知を行うすすぎ洗浄報知手段を備えることにより、使用者は自動的にすすぎ洗浄が始まっても、それを知ることができ使い勝手がよい。
【００１４】
【実施例】
以下、本発明の実施例について、図１〜図１４を参照しながら説明する。
【００１５】
（実施例１）
図１は、本発明の第１の実施例における給湯装置のを示すものである。図１において、１は家庭内に設置されたキッチンユニットを示し、その内部空間に浄水加熱ユニット２を設置している。３は水道管であり、キッチンユニット１のキッチンシンク１２に臨んだ水道口４と、水道水中の不純物を除去する中空子膜や活性炭からなる浄水手段５とに接続している。水道管３と浄水手段５との給水路には、浄水手段５への給水を制御する給水弁６を設けている。浄水手段５を通過した水道水は、水を加熱するヒーター７を有する加熱容器８へ給水経路９を介して注がれる。また加熱容器８には加熱容器内の水温を検知する温度検知手段であるサーミスタ１０と、加熱容器８内の水位を、電極間の電位が水の有無によって変わることから検知する水位検知手段１１を設けている。
【００１６】
そして、給水経路９上には、浄水手段５を通過した水をキッチンシンク１２に吐出する浄水パイプ１３か、給水経路９のどちらかに導く切替弁１４が設けてある。１５は加熱容器８から生じた蒸気を逃がす蒸気パイプ、１６は加熱容器８内の湯を出湯パイプ１７に吐出するポンプである。上記した浄水パイプ１３、蒸気パイプ１５、および出湯パイプ１７は、水道口４と同様、キッチンシンク１２に臨んで配置されている。１８は出湯や浄水の吐出及び各種状態を知らせる操作表示部で、キッチンユニット１の上部の操作部１ａに設けてある。１９はすすぎ洗浄手段であり、給水弁６と、水位検知手段１１と、切替弁１４と、ポンプ１６と接続しており、水位検知手段１１からの水位の信号に応じて、給水弁６と、切替弁１４と、ポンプ１６を制御して、加熱容器８内への注水から排水までのすすぎ洗浄工程を自動で行うものである。２０は無負荷すすぎ手段であり操作表示部１８から送られてくる信号の状態に応じて時間のカウントを行い、その信号とカウントした時間に応じてすすぎ洗浄手段１９を制御するものである。
【００１７】
図２は上記操作表示部１８の詳細を示しており、１８ａはＯＮになると切替弁１４を浄水パイプ１３側に切り換えると共に、給水弁６を開いて浄水した水を吐出する浄水ＳＷ。１８ｂは浄水した水が吐出されていることを点灯して表すＬＥＤで構成された浄水ＬＥＤ。１８ｃはＯＮになると切替弁１４を加熱容器８、出湯パイプ１７側に切り換えるとともにポンプ１６を駆動して加熱容器８内の湯を出湯する出湯ＳＷ。１８ｄはＯＮになると出湯ＳＷ１８ｃの操作を可能とするロック解除ＳＷ。１８ｅはロック解除ＳＷ１８ｄがＯＮになると点灯してロック解除ＳＷ１８ｄの状態を表すロック解除ＬＥＤ。１８ｆは電源ＳＷでヒーター７、ポンプ１６及び、操作表示部１８内の全てのＬＥＤへの通電を制御するもので、無負荷すすぎ手段２０と接続する。１８ｅは電源ＬＥＤで電源ＳＷ１８ｆがＯＮ状態で点灯して電源ＳＷ１８ｆの状態を表す。２１は本発明の実施例における給湯装置へ電源を供給している商用電源である。
【００１８】
以上のように構成された給湯装置についてその動作を説明する。給湯装置の加熱容器８内の水温はサーミスタ１０によって検知され、水温が８５度以下になるとヒーター７をＯＮして高温状態を維持している。また、出湯ＳＷ１８ｃをＯＮして水位が下がると、水位検知手段１１が下がったことを検知して、切替弁１４を加熱容器８側に切替るとともに、給水弁６を開いて加熱容器８内に給水する。そして水位検知手段１１が水位の満水状態を検知すると給水弁６を閉じて給水を止める。このように加熱容器内８内には、常に高温の湯が満水状態で出湯できる状態に保たれる。
【００１９】
次に、無負荷すすぎ手段２０の動きについて、図３を用いて説明する。無負荷すすぎ手段２０はステップ１で電源ＳＷ１８ｆがＯＦＦするまで待つ。給湯装置を使用しないで節電のため電源ＳＷ１８ｆがＯＦＦすると、ヒーター７、ポンプ１６への通電をＯＦＦするとともに操作表示部１８内の全てのＬＥＤを消灯し、電源ＳＷ１８ｆ以外のＳＷを受け付けない状態になる。電源ＳＷ１８ｆがＯＦＦするとステップ１でＹＥＳとなりステップ２に移行し、ステップ２で無負荷すすぎ手段２０は、電源ＳＷ１８ｆがＯＦＦされてヒーター７がＯＦＦしている時間のカウントを開始する。ステップ３では電源ＳＷ１８ｆがＯＮされるのを待ち、電源１８ｆがＯＮされてヒーター７を含む負荷への通電が復帰すると、ＹＥＳとなってステップ４へ移行する。ステップ４ではカウントした電源ＳＷ１８ｆがＯＦＦしていた時間を判断する。もし２４時間経過していないならヒーター７がＯＦＦしていた時間が短いため、加熱容器８内の液体も衛生的に大丈夫と判断してＮＯとなりステップ５に移行する。ステップ５では電源ＳＷがＯＦＦされる以前の動作を継続する。反対に、ステップ４で電源ＳＷ１８ｆがＯＦＦしていた時間が２４時間以上経過したなら、加熱容器８内の液体温度も低下し、古くなっていると判断してＹＥＳとなりステップ６に移行する。ステップ６で無負荷すすぎ手段２０は、加熱容器８内の古くなった液体を廃棄して加熱容器８を洗浄するため、すすぎ洗浄手段１９にＯＮ信号を出力する。
【００２０】
次に、すすぎ洗浄手段１９の動きについて、図４を用いて説明する。すすぎ洗浄手段１９は無負荷すすぎ手段２０からＯＮ信号を受け取ると、すすぎ洗浄工程をスタートして、ステップ７で出湯ＳＷ１８ｃがＯＮ状態になるまで待つ。ＯＮ状態になるとステップ８に移行してポンプ１６を駆動して加熱容器８内の高温の湯を出湯パイプ１７から吐出する。ステップ９では、水位検知手段１１によって加熱容器８内の水位が０になったどうか判断する。まだ加熱容器８内にお湯が残っているならＮＯとなり、ステップ７に戻って出湯ＳＷ１８ｃによって出湯操作を続ける。反対に水位が０になると加熱容器８内が空になったのでＹＥＳとなってステップ１０に移行する。ステップ１０ではポンプ１６をＯＦＦするとともに、すすぎ洗浄１９は切替弁１４を加熱容器８側に切り替えて、給水弁６を開いて加熱容器８への給水を開始し、水位検知手段１１が満水を検知するまで給水工程を継続する。満水を検知するとステップ１１に移行して給水弁６を閉じるとともに、ポンプ１６を駆動して、満水になった加熱容器８内の水を出湯パイプ１７から吐出して、水位検知手段１１が水位０を検知して加熱容器８内の水が無くなるまで排水工程を継続する。加熱容器８内に水が無くなるとステップ１２に移行する。ステップ１２ではステップ１０、１１を３回繰り返したかどうか判断する。もし３回未満ならＮＯとなりもう一度ステップ１０の給水工程に戻る。反対に３回繰り返したなら加熱容器８内に給水、排水を自動で行ってすすぎ洗浄することができたので終了する。
【００２１】
以上のように本実施例によれば、すすぎ洗浄手段１９と無負荷すすぎ手段２０を設けることにより、ヒーター７のＯＦＦした時間が長く、加熱容器８内の液体が古くなったと判断すると自動的に加熱容器８のすすぎ洗浄工程が始まり、加熱容器８を手軽に清潔に保つことができる。
【００２２】
なお、本実施例においてすすぎ洗浄工程の給水と排水の連続繰り返しの回数を３回としたが、増減して、効果および工程時間を調節しても何ら問題ない。また、本実施例において加熱容器８内に給水した水をすぐ排水したが、時間をおいて排水しても何ら問題ない。また、本実施例において給水した水を排水しただけであったが、給水した水を加熱して排水を行い、すすぎ洗浄の効果を上げても何ら問題ない。また、本実施例において、高温のお湯を出湯するステップ７において出湯ＳＷ１８ｃを使用者に操作させたが、高温のお湯を出湯するステップ７においても自動出湯しても問題ない。また、本実施例において無負荷すすぎ手段２０は電源ＳＷ１８ｆの状態を判断することでヒーター７の状態を判断したが、直接ヒーター７または商用電源２１の状態を判断してもよい。
【００２３】
（実施例２）
以下、本発明の第２の実施例について図５を参照しながら説明する。なお本実施例の全体構成について実施例１と同一の構成要素については、同じ番号を付し説明を省略する。
【００２４】
外部時間変更手段２２は外部信号２３からの５Ｖまたは０Ｖの信号に基づき、無負荷すすぎ手段２０がステップ４で判断する電源ＳＷ１８ｆがＯＦＦしていた時間の敷居値を切り替える。外部時間変更手段２２は外部信号２３から５Ｖの信号を受け取ると、無負荷すすぎ手段２０がステップ４で判断する電源ＳＷ１８ｆがＯＦＦしていた時間の敷居値を４８時間に、反対に外部信号２３から０Ｖの信号を受け取ると、無負荷すすぎ手段２０がステップ４で判断する電源ＳＷ１８ｆがＯＦＦしていた時間の敷居値を２４時間にする。
【００２５】
以上のように本実施例によれば、外部時間変更手段２２を設けることにより、給湯装置が使用される場所の水質に応じて、水質がきれいな地域では、すすぎ洗浄を開始する加熱容器８のヒーター７のＯＦＦが継続した時間を長く、反対に水質が落ちる地域では、ヒーター７のＯＦＦが継続した時間が短くすすぎ洗浄が始まるよう設定できるので、最適なすすぎ洗浄を開始するタイミングの設定ができる。
【００２６】
なお、本実施例において、外部時間変更手段２２が変更できる、すすぎ洗浄を始めるヒーター７のＯＦＦが継続した時間は２つであったが、より細かく設定変更できるようにしても何ら問題ない。また外部信号２３には、５Ｖ、０Ｖの信号を用いたが、可変抵抗器等によるアナログ信号、その他のＳＷによる入力を用いてもよい。
【００２７】
（実施例３）
以下、本発明の第３の実施例について図６を参照しながら説明する。なお本実施例の全体構成について実施例１と同一の構成要素については、同じ番号を付し説明を省略する。
【００２８】
高温すすぎ停止手段２４は、サーミスタ１０から温度信号を受け取り、加熱容器８内の水温が６０℃以上か未満かを判断して無負荷すすぎ手段２０に信号を出力する。無負荷すすぎ手段２０は動作図である図７のステップ１３で、高温すすぎ停止手段から受け取った信号が水温６０℃以上ならばＹＥＳとなりステップ５に移行する。反対に６０℃未満の信号を受け取るとＮＯとなりステップ４に移行してすすぎ洗浄を行うかどうかの判断をする。
【００２９】
以上のように本実施例によれば、高温すすぎ停止手段２４を設けることにより、加熱容器８のヒーター７をＯＦＦした状態が２４時間経過しても、加熱容器８内の水温が高く衛生的にも心配ない場合には、すすぎ洗浄を行わないので無駄な電力の消費を押さえることができる。
【００３０】
（実施例４）
以下、本発明の第４の実施例について図面を参照しながら説明する。図８は本実施例の全体構成図であり、実施例１と同一の構成要素については同じ番号を付し説明を省略する。
【００３１】
温度すすぎ手段２５はサーミスタ１０と接続し、加熱容器８内の水温が低い状態が継続するとすすぎ洗浄手段１９にすすぎを開始する為のＯＮ信号を出力する。この温度すすぎ手段２５の詳細な動きについて動作図９を用いて説明する。温度すすぎ手段２５は、ステップ１４でサーミスタ１０が測定している加熱容器８内の水温が６０℃以上かどうか判断する。６０℃以上ならＹＥＳとなりステップ１５に移行する。ステップ１５では加熱容器８内の水温６０℃未満の時間をカウントするタイマーのカウンタをリセットする。反対に６０℃未満ならＮＯとなり、ステップ１６に移行する。ステップ１６では水温６０℃未満の状態が継続する時間をカウントし、ステップ１７に移行する。ステップ１７ではカウントした加熱容器８内の水温が、６０℃未満で２４時間継続したかどうか判断する。まだ２４時間経過していないならＮＯとなり、ステップ１４へ戻り水温のチェックを行う。反対に２４時間経過したならＹＥＳとなりステップ１８に移行する。温度すすぎ手段２５はステップ１８ですすぎ洗浄手段１９に、すすぎを開始させるＯＮ信号を出力する。
【００３２】
以上のように本実施例によれば、温度すすぎ手段２５を設けることにより、加熱容器８内の水温が低い状態が長時間継続すると、自動的に加熱容器内のすすぎ洗浄が始まるので、衛生的にも安心で、手軽に加熱容器を清潔に保つことができる。
【００３３】
（実施例５）
以下、本発明の第５の実施例について図面を参照しながら説明する。図１０は本実施例の全体構成図であり、実施例１と同一の構成要素については同じ番号を付し説明を省略する。
【００３４】
無操作すすぎ手段２６は操作表示部１８内の出湯ＳＷ１８ｃと接続し、出湯ＳＷ１８ｃが操作されない時間が続くとすすぎ洗浄手段１９にすすぎを開始するＯＮ信号を出力する。この無操作すすぎ手段２５の詳細な動きについて動作図１１を用いて説明する。無操作すすぎ手段２６は、ステップ１９で出湯ＳＷ１８ｃがＯＮされたかどうか判断する。出湯ＳＷ１８ｃがＯＮされて出湯中ならばＹＥＳとなりステップ２０に移行する。ステップ２０では出湯ＳＷが操作されていない時間をカウントするタイマーのカウンタをリセットする。反対に出湯ＳＷ１８ｃがＯＦＦしていて出湯されていなければＮＯとなり、ステップ２１に移行する。ステップ２１では出湯ＳＷ１８ｃが操作されなかった時間をカウントし、ステップ２２に移行する。ステップ２２ではカウントした出湯ＳＷ１８ｃが操作されなかった時間が２４時間継続したかどうか判断する。まだ２４時間経過していないならＮＯとなり、ステップ１９へ戻り出湯ＳＷ１８ｃのチェックを行う。反対に２４時間経過したならＹＥＳとなりステップ２３に移行する。無操作すすぎ手段２６はステップ２３ですすぎ洗浄手段１９に、すすぎを開始させるＯＮ信号を出力する。
【００３５】
以上のように本実施例によれば、無操作すすぎ手段２６を設けることにより、加熱容器８内の液体が出湯されない状態が長時間継続すると、自動的に加熱容器内のすすぎ洗浄が始まるので、加熱容器８内の液体が更新されないまま古くなった状態で使われることもなく、衛生的にも安心で、手軽に加熱容器を清潔に保つことができる。
【００３６】
なお、本実施例において無操作すすぎ手段２６は、出湯ＳＷ１８ｃと接続して動作をモニタしたが、その他の給湯装置を動作させるＳＷと接続してモニタしてもよい。
【００３７】
（実施例６）
以下、本発明の第６の実施例について図面を参照しながら説明する。図１２は本実施例の構成図であり実施例１と同一の構成要素については同じ番号を付し説明を省略する。
【００３８】
操作表示部１８内には、すすぎ洗浄開始手段であるすすぎ開始ＳＷ１８ｈを設置する。すすぎ開始ＳＷ１８ｈはＯＮすると、すすぎ洗浄手段１９にすすぎ洗浄を開始するＯＮ信号を出力する。以上のように本実施例によれば、すすぎ開始ＳＷ１８ｈを設けることにより、使用者は加熱容器内の水が気になるとき等、好きなタイミングですすぎ洗浄が行え使い勝手がよい。
【００３９】
（実施例７）
以下、本発明の第７の実施例について図面を参照しながら説明する。図１３は本実施例の構成図であり実施例１と同一の構成要素については同じ番号を付し説明を省略する。
【００４０】
操作表示部１８内には、すすぎ洗浄終了手段であるすすぎ終了ＳＷ１８ｉを設置する。すすぎ終了ＳＷ１８ｉはＯＮすると、すすぎ洗浄手段１９にすすぎ洗浄を終了させるＯＮ信号を出力する。すすぎ洗浄手段１９はすすぎ終了ＳＷ１８ｉからＯＮ信号を受け取ると、すすぎ洗浄工程の動作を終了させる。以上のように本実施例によれば、すすぎ終了ＳＷ１８ｉを設けることにより、使用者は一度始まったすすぎ洗浄工程を任意に終了させることができるので、すすぎ洗浄中に使用者が急いでお湯を使いたいとき等、すすぎ洗浄工程が終了するまで待たなくてもよく、使い勝手がよい。
【００４１】
（実施例８）
以下、本発明の第８の実施例について図面を参照しながら説明する。図１４は本実施例の構成図であり実施例１と同一の構成要素については同じ番号を付し説明を省略する。
【００４２】
操作表示部１８内には、すすぎ洗浄中であることを報知するすすぎ洗浄報知手段であるところのすすぎＬＥＤ１８ｊを設置する。すすぎＬＥＤ１８ｊはすすぎ洗浄手段１９が動作すると点灯し、すすぎ洗浄中であることを知らせる。
【００４３】
以上のように本実施例によれば、すすぎＬＥＤ１８ｊを備えることにより、使用者は自動的にすすぎ洗浄が始まっても、それを知ることができ使い勝手がよい。
【００４４】
なお、本実施例においてすすぎ洗浄報知手段としてＬＥＤを使用したが、ブザー並びに液晶等その他の報知可能な部品を使ってもよい。
【００４５】
【発明の効果】
以上のように本発明によれば、注水から排水まで自動で行うすすぎ洗浄手段と、加熱容器の負荷をＯＦＦした状態が所定の時間以上経過した時、すすぎ洗浄手段を動作させる無負荷すすぎ手段を備えることにより、使用者は加熱容器内の古くなった液体を間違って使用することもなく、すすぎ洗浄の手間を省いた、手軽で衛生的な給湯装置を提供することができる。
【図面の簡単な説明】
【図１】本発明の第１の実施例における給湯装置の全体を示す断面図
【図２】同、給湯装置における操作表示部の平面図
【図３】同、給湯装置における無負荷すすぎ手段のフローチャート
【図４】同、給湯装置におけるすすぎ洗浄手段のフローチャート
【図５】本発明の第２の実施例における給湯装置の全体を示す断面図
【図６】本発明の第３の実施例における給湯装置の全体を示す断面図
【図７】同、給湯装置における無負荷すすぎ手段のフローチャート
【図８】本発明の第４の実施例における給湯装置の全体を示す断面図
【図９】同、給湯装置における温度すすぎ手段のフローチャート
【図１０】本発明の第５の実施例における給湯装置の全体を示す断面図
【図１１】同、給湯装置における無操作すすぎ手段のフローチャート
【図１２】本発明の第６の実施例におけるすすぎ洗浄開始手段の構成図
【図１３】本発明の第７の実施例におけるすすぎ洗浄終了手段の構成図
【図１４】本発明の第８の実施例におけるすすぎ洗浄報知手段の構成図
【符号の説明】
１  キッチンユニット
２  浄水加熱ユニット
３  水道管
４  水道口
５  浄水手段
６  給水弁
７  ヒータ
８  加熱容器
１６  ポンプ
１７  出湯パイプ
１９  すすぎ洗浄手段
２０  無負荷すすぎ手段
２２  外部時間変更手段
２４  高温すすぎ停止手段
２５  温度すすぎ手段
２６  無操作すすぎ手段
【図１】
0003599025.tif 000002
【図２】
0003599025.tif 000003
【図３】
0003599025.tif 000004
【図４】
0003599025.tif 000005
【図５】
0003599025.tif 000006
【図６】
0003599025.tif 000007
【図７】
0003599025.tif 000008
【図８】
0003599025.tif 000009
【図９】
0003599025.tif 000010
【図１０】
0003599025.tif 000011
【図１１】
0003599025.tif 000012
【図１２】
0003599025.tif 000013
【図１３】
0003599025.tif 000014
【図１４】
0003599025.tif 000015